【手続補正書】
【提出日】平成16年12月21日(2004.12.21)
【手続補正１】
【補正対象書類名】明細書
【補正対象項目名】特許請求の範囲
【補正方法】変更
【補正の内容】
【特許請求の範囲】
【請求項１】
ベルト３内の引張力を吸収するためのエンドレスキャリヤ４、及び前記キャリヤ４に沿って長さ方向に移動可能に設けられた複数の横部材５を含み、その横部材５が前記キャリヤ４と接触するための少なくとも一つのサドル表面８を備えており、そのサドル表面８が半径方向に前記ベルト３内で互いに対して前記キャリヤ４と前記横部材５の極限相互位置を形成し、テーパ付き下部分が揺動端部９を含み、かつ少なくとも前記キャリヤ４及び前記サドル表面８が相互接触している場合に、上部分１０，１１：１４が前記キャリヤ４を越えて半径方向に延びる連続可変式トランスミッション用ベルト３であって、前記ベルト３の周囲長さＬに関する前記ベルト３の横部材５の少なくとも大部分の前記上部分１０，１１；１４の臨界半径方向の高さＨＳＥの適合により、前記横部材５の間に除去すべき端部遊びの量（ＥＰＣ）として存在する端部遊びは、少なくともトランスミッション中に取り付けられ、運転される場合に、プーリ１，２の間の前記ベルト３の少なくともわずかに凹形のスラック軌道部分中の少なくとも二つの前記横部材５の前記上部分１０，１１；１４の間の相互接触により除去されることを特徴とするベルト３。
【請求項２】
前記上部分１０，１１；１４の前記高さＨＳＥが前記ベルト３の前記周囲長さＬの平方根の係数Ｃ倍により定められた条件を満足し、Ｃが除去すべき前記端部遊びの量（ＥＰＣ）の平方根の０．３５倍以上の値であることを特徴とする請求項１記載のベルト。
【請求項３】
前記高さＨＳＥが９．５ｍｍで始まり、２１ｍｍで終わる範囲の値であることを特徴とする請求項１又は２記載のベルト。
【請求項４】
前記高さＨＳＥが３５０ｍｍで始まり、８５０ｍｍで終わる範囲の周囲長さＬを有するベルトについて１０ｍｍで始まり、１５ｍｍで終わる範囲の値であることを特徴とする請求項３記載のベルト。
【請求項５】
前記係数Ｃが除去すべき前記端部遊びの量（ＥＰＣ）の平方根の０．３５×１．１倍で始まり、除去すべき前記端部遊びの量（ＥＰＣ）の平方根の０．３５×３倍で終わる範囲の値であることを特徴とする請求項１〜４のいずれか一項記載のベルト。
【請求項６】
前記ベルト３が円形又は自由な状態の形状で配置される場合に、除去すべき前記端部遊びの量（ＥＰＣ）が前記横部材５の間のほぼ前記初期の長さ方向の遊びであることを特徴とする請求項１〜５のいずれか一項記載のベルト。
【請求項７】
前記ベルト３の長さ方向の前記横部材５の大半の前記上部分１０，１１；１４の厚さが概してテーパ付き下部分の最大厚さより大きく、その結果、前記ベルト３内で互いに押し付けられている横部材５のアレイが、前記上部分１０，１１；１４により相互に接触する時に、アーク状形状をとることを特徴とする請求項１〜６のいずれか一項記載のベルト。
【請求項８】
横部材５が主として前記上部分１０，１１；１４中に設けられた突起２１を備えており、前記ベルト３が円形、又は自由状態の形状で位置される場合の前記横部材５の間の前記初期の長さ方向の遊びが前記突起の長さ方向の量Ｎ１，Ｎ２の１〜２倍の範囲であることを特徴とする請求項１〜７のいずれか一項記載のベルト。
【請求項９】
前記初期の長さ方向の遊びが前記横部材５の最大厚さの少なくとも３／４であることを特徴とする請求項８記載のベルト。
【請求項１０】
前記横部材５が前記揺動端部９から外向き半径方向に延び、キャリヤ受容くぼみ６の横境界を形成する二つの肢部１０及び１１を夫々備えており、それにより前記サドル表面８が前記肢部１０及び１１の間に位置されることを特徴とする請求項１〜９のいずれか一項記載のベルト。
【手続補正２】
【補正対象書類名】明細書
【補正対象項目名】０００２
【補正方法】変更
【補正の内容】
【０００２】
【従来の技術及び発明が解決しようとする課題】
“プッシュベルト”として一般に知られており、またこの特別なデザインにおいて単一パッケージプッシュベルトと称される、このようなベルトは一般に複数の刊行物により知られている。所謂単一パッケージベルトの一つの早期の刊行物は米国特許第３７２０１１３号明細書（特許文献１）である。単一パッケージプッシュベルトはＥＰ−Ａ００００８０２（特許文献２）のようなその後の刊行物により知られているような二重パッケージと較べて実用的な用途に高度に所望されるが、キャリヤ及びベルトの横部材を全体として保つため、換言すれば横部材がキャリヤから離れて落ちることを防止し、かつその構造コヒーレンスを維持するための別個の保持装置を具備する点でコストのかかる技術手段を問題としている。特に、ベルトの保全性のこの維持はベルトが運転中である間に問題であり、またベルト組立品の保全性を単に維持する際の考慮事項である。
【手続補正３】
【補正対象書類名】明細書
【補正対象項目名】０００４
【補正方法】変更
【補正の内容】
【０００４】
前記米国特許刊行物により開示されたベルトでは、横部材の半径方向（ここでは、環状ベルトがプーリに巻き掛けられた状態での該プーリの半径方向、つまりベルトの長さ方向及び幅方向に対し垂直な方向を意味し、以下特記が無い場合同様）に延びる肢部部分がくぼみに対し軸方向に内向きに曲げられ、それによりフックのような部分を生じ、その結果、キャリヤは、それがその横内面及びその半径方向の内面に沿って包囲されることに加えて、またその半径方向の外面に沿って少なくとも部分的に包囲される。横部材によるキャリヤのフックのこの構造はその比較的低重量のために好ましい。しかしながら、その構造は横部材の内向きの曲げが比較的複雑なブランキング形状を与える点及び組み立て時に特別な努力がキャリヤを横部材に対し所望の位置に挿入するのに必要とされる点で製造上の難点を問題としている。特に、キャリヤは自由に、即ち、その変形を生じないで挿入し得ない。このような変形は運転中に苛酷な引張負荷の下にある時にキャリヤ破壊の開始要因であり得る。このような種類の別の構造がＥＰ−Ａ００９５２５７（特許文献３）に開示されており、そのキャリヤは横部材との接触位置に比較的密にフックされる。
【手続補正４】
【補正対象書類名】明細書
【補正対象項目名】０００５
【補正方法】変更
【補正の内容】
【０００５】
後者の挿入問題を解決する構造がＥＰ−Ａ０１３５２３７（特許文献４）により知られている。この既知の構造では、横部材が所謂スロットを示し、これは横部材の上部コーナーに向かって開口部を有する横部材中の横に配向されたくぼみである。キャリヤの半径方向の外面の少なくとも一部が半径方向の外部、又は上部の横部材部分により接触され、横部材が交互の順序で挿入されるべきである。このような横部材を含むベルトは比較的高い重量を有するようになり、こうして伝達可能なトルクに関する性能を制限する。また、交互の順序要件は横部材が交互に配置された、即ち、ベルトの長さ方向のまわりに鏡に映されたようなベルトに組み立てられる必要がある点で製造上の複雑化をもたらす。
【手続補正５】
【補正対象書類名】明細書
【補正対象項目名】０００６
【補正方法】変更
【補正の内容】
【０００６】
有利に一層簡単なスロット構造を示す同様に早期の構造がＥＰ−Ａ００７３９６２（特許文献５）により知られている。この書類は横部材の軸方向の面に向かって開口部を有する多少真っ直ぐなスロットを有する横部材を開示している。ベルトが運転中である間にキャリヤがプーリ面と接触するリスクを防止するために、この構造ではまた、横部材が鏡に映されたようにフィットされる必要がある。鏡に映されたような隣接する横部材の複雑さは２面テーパ付けで下部のテーパ付き横部材部分を製造することにより解消されると示唆され、その結果、予想されたように或る種の製造上の難点及びコストを犠牲にして、唯一の横部材配向が適用される必要がある。
【手続補正６】
【補正対象書類名】明細書
【補正対象項目名】０００７
【補正方法】変更
【補正の内容】
【０００７】
別の既知の単一パッケージデザインはベルトの運転時にベルト保全性を維持するためのセパレート部材型を示す。このような部材型はロック部材の形態の保持装置、例えば、ピン又はロックリング、これらの組み立て後のキャリヤ受容くぼみの密閉を備えている。このような構造は、運転中及びセパレート部分としての両方で、ベルトの保証された保全性を履行し得るが、重量及び製造コストのために比較的不利であるとともに、多くのデザインにおける強度は、例えば、自動車用途に典型的に必要とされるように、若干大きいトルクレベルが伝達されるべきである時に保証し得ない。このベルトデザインのうちの、一つのこのようなピン構造がＥＰ−Ａ０１２２０６４（特許文献６）に開示されており、一つのこのようなリング構造が米国特許第５１２３８８０号（特許文献７）に開示されている。
【手続補正７】
【補正対象書類名】明細書
【補正対象項目名】０００８
【補正方法】変更
【補正の内容】
【０００８】
本発明は専らではなく主として上記のコスト上昇の不利を生じないで単一パッケージベルトデザインを実現することを目的とし、これはベルトにより伝達可能なトルクの量を最大にするとともに、ベルトに対する種々の機能要求に良好な様式で依然として応答するように比較的複雑にされない形状及び比較的低い重量を有する、単一部材型のみを含む。
【特許文献１】米国特許第３７２０１１３号
【特許文献２】欧州特許公開公報第Ａ−００００８０２号
【特許文献３】欧州特許公開公報第Ａ−００９５２５７号
【特許文献４】欧州特許公開公報第Ａ−０１３５２３７号
【特許文献５】欧州特許公開公報第Ａ−００７３９６２号
【特許文献６】欧州特許公開公報第Ａ−０１２２０６４号
【特許文献７】米国特許第５１２３８８０号